【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段により撮像して得られた第１の元画像を縮小する縮小手段と、
前記縮小手段により縮小して得られた第１の縮小画像を元に所定の特徴点の位置を検出する特徴点検出手段と、
前記特徴点検出手段により検出された特徴点の位置情報を利用した所定の画像処理が前記第１の元画像に対して施された状態である第２の元画像を生成する第１の画像処理手段と、
を具備することを特徴とする撮像装置。
【請求項２】
前記第１の縮小画像を対象として前記所定の画像処理を施すことで第２の画像を生成する第２の画像処理手段を更に備え、
前記第１の画像処理手段は、前記第２の画像処理手段により生成された前記第２の画像を前記第１の元画像に合成することにより、前記所定の画像処理が前記第１の元画像に対して施された状態である前記第２の元画像を生成することを特徴とする請求項１記載の撮像装置。
【請求項３】
前記第１の縮小画像を処理対象として前記所定の画像処理を施すことで第２の縮小画像を生成する第２の画像処理手段を更に備え、
前記第１の画像処理手段は、前記第２の画像処理手段により生成された前記第２の縮小画像を前記第１の元画像と同じ画角に拡大するとともに前記第１の元画像に合成することにより、前記所定の画像処理が前記第１の元画像に対して施された状態である前記第２の元画像を生成することを特徴とする請求項１記載の撮像装置。
【請求項４】
前記撮像手段により逐次撮像して得られる前記第１の元画像を画面上に逐次表示させるスルー画像表示手段と、
前記スルー画像表示手段によって前記画面上に逐次表示される画像を、指示に応じて前記第１の元画像から前記第２の元画像に切り換える表示制御手段と、
を更に備えたことを特徴とする請求項１乃至３記載の撮像装置。
【請求項５】
前記縮小手段は、前記撮像手段により撮像される元画像のサイズに基づいて設定された縮小率で、前記撮像手段により撮像された元画像を縮小することを特徴とする請求項１記載の撮像装置。
【請求項６】
前記縮小手段は、最終的に保存する画像の画質に基づいて設定された縮小率で、前記撮像手段により撮像された元画像を縮小することを特徴とする請求項１記載の撮像装置。
【請求項７】
前記特徴点検出手段は、前記縮小手段により縮小して得られた第１の縮小画像の水平ライン毎に、所定の閾値以上の特徴量を有する連続する画素をグループ化し、全ての水平ラインでグループ化を行った後、垂直方向に隣接するグループ同士を結合して１つの特徴点とすることを特徴とする請求項１乃至６のいずれかに記載の撮像装置。
【請求項８】
前記画像処理手段は、特徴点の位置に任意の画像を描画することを特徴とする請求項１乃至７のいずれかに記載の撮像装置。
【請求項９】
前記画像処理手段は、放射状に広がる画像を特徴点の中心に描画することを特徴とする請求項８記載の撮像装置。
【請求項１０】
前記画像処理手段は、曲線を含む画像を特徴点の位置に描画することを特徴とする請求項８記載の撮像装置。
【請求項１１】
前記画像処理手段は、特徴点の大きさに基づいて拡縮した画像を特徴点の位置に描画することを特徴とする請求項８記載の撮像装置。
【請求項１２】
前記画像処理手段は、特徴点の水平方向の長さ、垂直方向の長さに基づいて、独立して拡縮した画像を特徴点の位置に描画することを特徴とする請求項８記載の撮像装置。
【請求項１３】
前記画像処理手段は、特徴点の大きさに基づいて異なる色の画像を特徴点の位置に描画することを特徴とする請求項８記載の撮像装置。
【請求項１４】
前記特徴点検出手段は、前記縮小手段により縮小して得られた第１の縮小画像を元に輝点の位置を検出し、
前記所定の画像処理は、前記特徴点検出手段により検出された輝点の位置に任意の画像を描画する処理であることを特徴とする請求項１乃至８のいずれかに記載の撮像装置。
【請求項１５】
前記特徴点検出手段は、前記縮小手段により縮小して得られた第１の縮小画像を元に輪郭部分の位置を検出し、
前記所定の画像処理は、前記特徴点検出手段により検出された輪郭部分の位置を強調する処理であることを特徴とする請求項１乃至８のいずれかに記載の撮像装置。
【請求項１６】
前記第１および第２の元画像は、撮影指示前に前記撮像手段によって撮像されたスルー画像であることを特徴とする請求項１乃至１５のいずれかに記載の撮像装置。
【請求項１７】
前記第１および第２の元画像は、撮影指示後に前記撮像手段によって撮像された画像であることを特徴とする請求項１乃至１５のいずれかに記載の撮像装置。
【請求項１８】
撮像された元画像を縮小し、該縮小された縮小画像を元に特徴点を検出し、該特徴点に対して画像処理を施し、画像処理された縮小画像を前記元画像と同じ画角に拡大し、前記元画像と前記拡大された画像とを合成することを特徴とする画像効果付与方法。
【請求項１９】
撮像して得られた第１の元画像を縮小する縮小ステップと、
前記縮小された縮小画像を元に所定の特徴点の位置を検出する特徴点検出ステップと、
前記検出された特徴点の位置を利用した所定の画像処理が、前記第１の元画像に対して施された状態である第２の元画像を生成する画像処理ステップと、
をコンピュータに実行させることを特徴とする画像効果付与プログラム。
【手続補正２】
【補正対象書類名】明細書
【補正対象項目名】０００５
【補正方法】変更
【補正の内容】
【０００５】
上記目的達成のため、請求項１記載の発明による撮像装置は、撮像手段と、前記撮像手段により撮像して得られた第１の元画像を縮小する縮小手段と、前記縮小手段により縮小して得られた第１の縮小画像を元に所定の特徴点の位置を検出する特徴点検出手段と、前記特徴点検出手段により検出された特徴点の位置情報を利用した所定の画像処理が前記第１の元画像に対して施された状態である第２の元画像を生成する第１の画像処理手段と、を具備することを特徴とする。
また、請求項２記載のように、前記第１の縮小画像を対象として前記所定の画像処理を施すことで第２の画像を生成する第２の画像処理手段を更に備え、前記第１の画像処理手段は、前記第２の画像処理手段により生成された前記第２の画像を前記第１の元画像に合成することにより、前記所定の画像処理が前記第１の元画像に対して施された状態である前記第２の元画像を生成するようにしてもよい。
また、請求項３記載のように、前記第１の縮小画像を処理対象として前記所定の画像処理を施すことで第２の縮小画像を生成する第２の画像処理手段を更に備え、前記第１の画像処理手段は、前記第２の画像処理手段により生成された前記第２の縮小画像を前記第１の元画像と同じ画角に拡大するとともに前記第１の元画像に合成することにより、前記所定の画像処理が前記第１の元画像に対して施された状態である前記第２の元画像を生成するようにしてもよい。
また、請求項４記載のように、前記撮像手段により逐次撮像して得られる前記第１の元画像を画面上に逐次表示させるスルー画像表示手段と、前記スルー画像表示手段によって前記画面上に逐次表示される画像を、指示に応じて前記第１の元画像から前記第２の元画像に切り換える表示制御手段と、を更に備えるようにしてもよい。
【手続補正３】
【補正対象書類名】明細書
【補正対象項目名】０００６
【補正方法】変更
【補正の内容】
【０００６】
また、請求項５記載のように、前記縮小手段は、前記撮像手段により撮像される元画像のサイズに基づいて設定された縮小率で、前記撮像手段により撮像された元画像を縮小するようにしてもよい。
【手続補正４】
【補正対象書類名】明細書
【補正対象項目名】０００７
【補正方法】変更
【補正の内容】
【０００７】
また、請求項６記載のように、請前記縮小手段は、最終的に保存する画像の画質に基づいて設定された縮小率で、前記撮像手段により撮像された元画像を縮小するようにしてもよい。
【手続補正５】
【補正対象書類名】明細書
【補正対象項目名】０００８
【補正方法】変更
【補正の内容】
【０００８】
また、請求項７記載のように、前記特徴点検出手段は、前記縮小手段により縮小して得られた第１の縮小画像の水平ライン毎に、所定の閾値以上の特徴量を有する連続する画素をグループ化し、全ての水平ラインでグループ化を行った後、垂直方向に隣接するグループ同士を結合して１つの特徴点とするようにしてもよい。
【手続補正６】
【補正対象書類名】明細書
【補正対象項目名】０００９
【補正方法】変更
【補正の内容】
【０００９】
また、請求項８記載のように、前記画像処理手段は、特徴点の位置に任意の画像を描画するようにしてもよい。
【手続補正７】
【補正対象書類名】明細書
【補正対象項目名】００１０
【補正方法】変更
【補正の内容】
【００１０】
また、請求項９記載のように、前記画像処理手段は、放射状に広がる画像を特徴点の中心に描画するようにしてもよい。
【手続補正８】
【補正対象書類名】明細書
【補正対象項目名】００１１
【補正方法】変更
【補正の内容】
【００１１】
また、請求項１０記載のように、前記画像処理手段は、曲線を含む画像を特徴点の位置に描画するようにしてもよい。
【手続補正９】
【補正対象書類名】明細書
【補正対象項目名】００１２
【補正方法】変更
【補正の内容】
【００１２】
また、請求項１１記載のように、前記画像処理手段は、特徴点の大きさに基づいて拡縮した画像を特徴点の位置に描画するようにしてもよい。
【手続補正１０】
【補正対象書類名】明細書
【補正対象項目名】００１３
【補正方法】変更
【補正の内容】
【００１３】
また、請求項１２記載のように、前記画像処理手段は、特徴点の水平方向の長さ、垂直方向の長さに基づいて、独立して拡縮した画像を特徴点の位置に描画するようにしてもよい。
【手続補正１１】
【補正対象書類名】明細書
【補正対象項目名】００１４
【補正方法】変更
【補正の内容】
【００１４】
また、請求項１３記載のように、前記画像処理手段は、特徴点の大きさに基づいて異なる色の画像を特徴点の位置に描画するようにしてもよい。
【手続補正１２】
【補正対象書類名】明細書
【補正対象項目名】００１５
【補正方法】変更
【補正の内容】
【００１５】
また、請求項１４記載のように、前記特徴点検出手段は、前記縮小手段により縮小して得られた第１の縮小画像を元に輝点の位置を検出し、前記画像処理手段は、前記輝点検出手段により検出された輝点の中心に任意の画像を描画するようにしてもよい。
また、請求項１５記載のように、前記特徴点検出手段は、前記縮小手段により縮小して得られた第１の縮小画像を元に輪郭部分の位置を検出し、前記所定の画像処理は、前記特徴点検出手段により検出された輪郭部分の位置を強調する処理であってもよい。
【手続補正１３】
【補正対象書類名】明細書
【補正対象項目名】００１６
【補正方法】変更
【補正の内容】
【００１６】
また、請求項１６記載のように、前記第１および第２の元画像は、撮影指示前に前記撮像手段によって撮像されたスルー画像であってもよい。
【手続補正１４】
【補正対象書類名】明細書
【補正対象項目名】００１７
【補正方法】変更
【補正の内容】
【００１７】
また、請求項１７記載のように、前記第１および第２の元画像は、撮影指示後に前記撮像手段によって撮像された画像であってもよい。
【手続補正１５】
【補正対象書類名】明細書
【補正対象項目名】００１８
【補正方法】変更
【補正の内容】
【００１８】
また、請求項１８記載の発明による画像効果付与方法は、撮像された元画像を縮小し、該縮小された縮小画像を元に特徴点を検出し、該特徴点に対して画像処理を施し、画像処理された縮小画像を前記元画像と同じ画角に拡大し、前記元画像と前記拡大された画像とを合成することを特徴とする。
【手続補正１６】
【補正対象書類名】明細書
【補正対象項目名】００１９
【補正方法】変更
【補正の内容】
【００１９】
また、請求項１９記載の発明による画像効果付与プログラムは、撮像して得られた第１の元画像を縮小する縮小ステップと、前記縮小された縮小画像を元に所定の特徴点の位置を検出する特徴点検出ステップと、前記検出された特徴点の位置を利用した所定の画像処理が、前記第１の元画像に対して施された状態である第２の元画像を生成する画像処理ステップと、をコンピュータに実行させることを特徴とする。
【手続補正１７】
【補正対象書類名】明細書
【補正対象項目名】００２０
【補正方法】変更
【補正の内容】
【００２０】
請求項１記載の発明によれば、縮小手段によって、撮像手段により撮像された元画像を縮小し、特徴点検出手段によって、縮小された縮小画像を元に特徴点の位置を検出し、この検出された特徴点の位置情報を利用した所定の画像処理が元画像に対して施された状態の画像を生成するようにしたので、比較的低速な処理性能であっても、短時間で特徴点の位置情報を利用した所定の画像処理を施すことができるという利点が得られる。
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】変更
【補正の内容】
【００３３】
また、請求項１８記載の発明によれば、撮像された元画像を縮小し、該縮小された縮小画像を元に特徴点を検出し、該特徴点に対して画像処理を施し、画像処理された縮小画像を前記元画像と同じ画角に拡大し、前記元画像と前記拡大された画像とを合成するようにしたので、比較的低速な処理性能であっても、短時間で特徴点の位置情報を利用した所定の画像処理を施すことができるという利点が得られる。
【手続補正３１】
【補正対象書類名】明細書
【補正対象項目名】００３４
【補正方法】変更
【補正の内容】
【００３４】
また、請求項１９記載の発明によれば、撮像された元画像を縮小する縮小ステップと、前記縮小された縮小画像を元に特徴点の位置を検出する特徴点検出ステップと、この検出された特徴点の位置情報を利用した所定の画像処理が元画像に対して施された状態の画像を生成する画像処理ステップとをコンピュータに実行させるようにしたので、比較的低速な処理性能であっても、短時間で特徴点の位置情報を利用した所定の画像処理を施すことができるという利点が得られる。